(57)【要約】【課題】エレベータの保守管理の際に、エレベータの機種に応じた最新のアプリケーションを常に利用できるエレベータの保守管理システムを提供する。【解決手段】エレベータの運転を制御すると共に運転データを記憶部に記憶してなるエレベータ制御盤４と、エレベータの機種及びバージョンに対応した故障対応のアプリケーションを複数記憶したメンテナンスソフトデータベース１０ｂを有する管理センター１０と、前記管理センター１０から指定した機種及びバージョンに対応したアプリケーションを読み出し、読み出されたアプリケーションに基づいて前記エレベータ制御盤４から故障時の運転データを読み出して解析し解析結果得られる故障処置を行うための故障状態と原因を表示部に表示する携帯端末５とを備えた。【選択図】図３
2005041674.tif 000002
【特許請求の範囲】
【請求項１】
エレベータの運転を制御すると共に運転データを記憶部に記憶してなるエレベータ制御盤と、
エレベータの機種及びバージョンに対応した故障対応のアプリケーションを複数記憶したメンテナンスソフトデータベースを有する管理センターと、
前記管理センターから指定した機種及びバージョンに対応したアプリケーションを読み出し、読み出されたアプリケーションに基づいて前記エレベータ制御盤から故障時の運転データを読み出して解析し解析結果得られる故障処置を行うための故障状態と原因を表示部に表示する携帯端末と
を備えたエレベータの保守管理システム。
【請求項２】
前記エレベータ制御盤は、ネットワークを介して前記管理センターに接続されていて、  前記携帯端末は、前記エレベータ制御盤に故障対応のアプリケーションを要求することで、前記エレベータ制御盤により前記管理センターから読み出した機種及びバージョンに対応したアプリケーションの送信を受ける
請求項１記載のエレベータの保守管理システム。
【請求項３】
前記携帯端末は、前記エレベータ制御盤から機種及びバージョン情報を得て、前記管理センターから機種及びバージョンに対応したアプリケーションを直接読み出す
請求項１記載のエレベータの保守管理システム。
【請求項４】
前記管理センターは、エレベータの機種と故障状態及び原因に対応した故障処置を記憶した故障データベースを有し、
前記携帯端末は、前記管理センターから機種と故障状態及び原因に対応した故障処置を読み出す
請求項１ないし３のいずれか１項に記載のエレベータの保守管理システム。
【請求項５】
エレベータのかご内に、カメラとマイクロホンを設置すると共に、
前記携帯端末に、前記カメラによるかご内映像を表示する表示部と前記マイクロホンにより収集された音を出力するスピーカとを備え、前記表示部と前記スピーカにより試乗点検時のエレベータ動作を確認する
請求項１ないし４のいずれか１項に記載のエレベータの保守管理システム。
【発明の詳細な説明】
【技術分野】
【０００１】
この発明は、エレベータの保守管理システムに関するものである。
【背景技術】
【０００２】
従来、この種のエレベータの保守管理システムとして、携帯無線装置に保守プログラムをインストールし、被保守機器との間及び保守のためのホストコンピュータとの間でデータ送受信し、保守作業を実施するものがあった（例えば、特許文献１参照）。
【０００３】
しかしながら、上述した従来のエレベータの保守管理システムにおいては、エレベータの機種が多いため、すべての機種の保守プログラムを常に携帯無線装置にインストールして整備しておくことは困難であった。
【０００４】
【特許文献１】特開２００２−３７５５８号公報
【発明の開示】
【発明が解決しようとする課題】
【０００５】
この発明は上述した点に鑑みてなされたもので、保守管理の際に、エレベータの機種に応じた最新のアプリケーションを常に利用できるエレベータの保守管理システムを提供することを目的とする。
【課題を解決するための手段】
【０００６】
この発明に係るエレベータの保守管理システムは、エレベータの運転を制御すると共に運転データを記憶部に記憶してなるエレベータ制御盤と、エレベータの機種及びバージョンに対応した故障対応のアプリケーションを複数記憶したメンテナンスソフトデータベースを有する管理センターと、前記管理センターから指定した機種及びバージョンに対応したアプリケーションを読み出し、読み出されたアプリケーションに基づいて前記エレベータ制御盤から故障時の運転データを読み出して解析し解析結果得られる故障処置を行うための故障状態と原因を表示部に表示する携帯端末とを備えたものである。
【発明の効果】
【０００７】
この発明のエレベータの保守管理システムによれば、エレベータの機種及びバージョンに対応した最新の故障対応のアプリケーションを常に利用することができ、エレベータの機種及びバージョンに応じた適切な故障修理を迅速に行うことができる。
【発明を実施するための最良の形態】
【０００８】
図１は、この発明の実施の形態に係るエレベータの保守管理システムのエレベータかご側の構成を示すブロック図である。図１に示すように、エレベータかご１内には、カメラ２とマイクロホン３とが設けられ、カメラ２とマイクロホン３はエレベータ制御盤４に接続されている。また、エレベータホールには、保守管理を行う保守作業者が所持する携帯端末５と赤外線通信（ＩｒＤＡ）するBluetoothのアクセスポイント６が乗場釦と兼用して設けられていて、アクセスポイント６はエレベータ制御盤４と接続されている。
【０００９】
図２（ａ）、（ｂ）は、前記携帯端末５の例を示すもので、図２（ａ）に示す携帯端末５Ａには、カメラ２によるかご内の映像を表示する表示器５１Ａと、マイクロホン３によるかご内の収集音を出力するスピーカ５２Ａが備えられている。図２（ｂ）に示す携帯端末５Ｂには、同様な表示器５１Ｂと、スピーカ５２Ｂが備えられており、さらに、点検済みのフロアを丸印で表示する表示部５３Ｂが備えられている。
【００１０】
エレベータの故障修理後または点検時に、正常に復旧したか否かを確認するために、試乗運転を行い、エレベータが正常動作しているか否かを確認する必要がある。しかし、試乗運転中に、乗客はエレベータを利用できないという問題があり、これを解消するために、乗客がエレベータを利用する都度、各階でのエレベータの扉の開閉動作をカメラ２で確認したり、動作時の異音をマイクロホン３で収集したりすることで、試運転と同じ点検を可能にしている。このようにすることで、乗客が利用する階床は点検済みとなるので、未点検の階床のみ試運転することで、乗客の利用開始時間を早めることができ、試運転作業の合理化を図ることができる。
【００１１】
図３は、携帯端末と管理センターの通信接続図を示すものである。図３に示すように、携帯端末５と赤外線通信するアクセスポイント６は、情報制御部７、通信制御部８及びネットワーク９を介して管理センター１０と接続されている。なお、エレベータ制御盤４は、情報制御部７を介してアクセスポイント６と接続され、情報制御部７を制御して管理センター１０間の情報送受の制御を行うと共に、通信制御部８を制御して管理センター１０との通信制御を行うようになされている。
【００１２】
前記管理センター１０は、通信制御部１０ａと、メンテナンスソフトデータベース１０ｂと、故障データベース１０ｃとを備えており、メンテナンスソフトデータベース１０ｂには、図４に示す如く内容のメンテナンスソフトが格納され、故障データベース１０ｃには、図５に示す如く内容の故障データが格納される。
【００１３】
すなわち、図４に示すように、メンテナンスソフトデータベース１０ｂには、エレベータ機種とバージョンに応じたアプリケーション名称のメンテナンスソフトが複数格納されている。また、図５に示すように、故障データベース１０ｃには、機種、状態、原因、処置、発生日の故障データが格納される。
【００１４】
ここで、メンテナンスソフトのアプリケーションの機能としては、エレベータ制御盤４の記憶部に記憶されている過去の履歴運転データを読み出し、データ解析する機能を有し、その解析結果には、故障の状態として、例えば「２階のエレベータドアが戸閉せず」が、推定されるその原因として、「ゲートスイッチＯＦＦ」、「ドアゴミ詰まり」等の情報が得られる。
【００１５】
従って、保守作業者は、携帯端末５より、エレベータ制御盤４に故障対応のアプリケーションを要求することで、エレベータ制御盤４は機種及びバージョンを管理センター１０に指定して、管理センター１０のメンテナンスソフトデータベース１０ｂから対応するアプリケーションのメンテナンスソフトを読み出し起動すれば、その解析結果が得られ、故障に対処することができ、故障が直らない場合には、さらに、携帯端末５よりエレベータ制御盤４を介して管理センター１０に機種、状態、原因を指定すれば、管理センター１０の故障データベース１０ｃから対応する処置が得られ、故障を修理すべく適切な対処を行うことができる。
【００１６】
以下、上記構成を備えるエレベータの保守管理システムの動作について図面を参照して説明する。まず、試乗点検を行い、異常があれば対応する故障処置を行うものとする。ここで、試乗運転の点検項目としては、次の項目を確認する。
１．乗場呼び
２．乗車するかご内の呼び登録
３．乗車したまま扉の開閉動作状態（スムーズな開閉で、音がしないこと）
４．走行中の異常音の発生（物にぶつかる音やレールとこすれる音）
５．かご内操作盤の押釦のランプ表示（すべて点灯するか）
１と２は、乗客が操作し、正常動作することをエレベータ制御盤４におけるシーケンス（記憶された運転データ）で確認し、残る操作を試運転し、３から５までの操作をカメラ２とマイクロホン３とで確認する。
【００１７】
図６は、試乗点検の内容を示すフローチャートである。まず、利用客（乗客）がいれば、乗客にエレベータを利用させて、通常運転を開始させる（ステップＳ１，Ｓ２）。保守作業者は、エレベータの動作、つまりかご内押釦動作、扉の開閉動作や走行中の音を、携帯端末５の表示器とスピーカを介して映像と音で確認する（ステップＳ３）。その結果、正常と判断すれば、正常フロアとして登録し、異常と判断すれば、故障処置を行う（ステップＳ４〜Ｓ６）。
【００１８】
故障処置は、図７に示すデータの流れ図に従って実施する。まず、携帯端末５からアクセスポイント６に赤外線通信（ＩｒＤＡ）し、エレベータ制御盤４に故障対応のアプリケーションを要求する。これに基づき、エレベータ制御盤４は、管理センター１０に、機種及びバージョンを指定し、対応するアプリケーション要求する。管理センター１０は、メンテナンスソフトデータベース１０ｂから対応するアプリケーションを読み出し、エレベータ制御盤４を介して携帯端末５に送信する（エレベータ制御盤４を介さずに直接送受信することもできる）。
【００１９】
携帯端末５は、送信されたアプリケーションを登録すると共に、このアプリケーションの起動に基づいてエレベータ制御盤４に対し故障データを要求し、データ解析し、原因を表示器に表示し、処置する。故障が直らない場合には、携帯端末５からエレベータ制御盤４を介して管理センター１０に、機種、状態、原因を指定して類似故障を問い合わせる。管理センター１０は、これに基づいて故障データベース１０ｃから対応する処置を検索し、携帯端末５に返送する。このようにして、故障処置が行われる。
【００２０】
図６に示すフローチャートに戻って、ステップＳ５の終了後、点検終了していないフロアがあり、所定時間、例えば３０分経過していなければ、ステップＳ１以下を繰り返す（ステップＳ６，Ｓ７）。３０分経過していれば、通常の試運転をし、ステップＳ６以下を繰り返す（ステップＳ８）。ここで、通常の試運転とは、保守作業者がかごに乗車し、利用客と同じ操作を行い、かご内押釦動作、扉の開閉動作、走行中の音等のエレベータの動作を確認することである。すべてのフロアが終了した場合には、試運転を終了する（ステップＳ９）。なお、ステップＳ１において利用客がいない場合には、ステップＳ８に移行し、通常の試運転を行う。このようにして、試乗点検が行われ、故障時には故障処置が行われる。
【００２１】
なお、図７に示すデータの流れ図では、携帯端末５からエレベータ制御盤４を介して管理センター１０に故障対応のアプリケーションを要求したが、ネットワーク９がダウンしてエレベータ制御盤４がネットワークに接続されていない場合には、図８に示すデータの流れ図に従って携帯端末５から管理センター１０に故障対応のアプリケーションを要求することになる。
【００２２】
すなわち、図８に示すように、携帯端末５からエレベータ制御盤４に対し、機種、バージョンを要求し、その返信を受けて、携帯端末５から管理センター１０に対し、機種、バージョンに対応するアプリケーションを直接要求することにより、対応するアプリケーションの送信を受けることができる。
【産業上の利用可能性】
【００２３】
この発明によれば、管理センターに、エレベータの機種及びバージョンに対応した故障対応のアプリケーションを複数記憶させ、携帯端末により読み出すようにすることで、エレベータの機種及びバージョンに対応した最新の故障対応のアプリケーションを常に利用することができ、エレベータの機種及びバージョンに応じた適切な故障修理を迅速に行うことができ、エレベータの点検及び故障対応に適用できる。
【図面の簡単な説明】
【００２４】
【図１】この発明の実施の形態に係るエレベータの保守管理システムのエレベータかご側の構成を示すブロック図である。
【図２】図１の携帯端末５の構成例を示す図である。
【図３】図１の携帯端末と管理センターの通信接続図である。
【図４】図３のメンテナンスソフトデータベースの内容を示す図である。
【図５】図３の故障データベースの内容を示す図である。
【図６】試乗点検の内容を示すフローチャートである。
【図７】この発明の実施の形態に係る故障処置時のデータの流れ図である。
【図８】エレベータ制御盤がネットワークに接続されていない場合のアプリケーション要求・送信時のデータの流れ図である。
【符号の説明】
【００２５】
１  かご、２  カメラ、３  マイクロホン、４  エレベータ制御盤、５  携帯端末、５１Ａ，５１Ｂ  表示器、５２Ａ，５２Ｂ  スピーカ、６  アクセスポイント、１０  管理センター、１０ｂ  メンテナンスソフトデータベース、１０ｃ  故障データベース。
【図１】
2005041674.tif 000003
【図２】
2005041674.tif 000004
【図３】
2005041674.tif 000005
【図４】
2005041674.tif 000006
【図５】
2005041674.tif 000007
【図６】
2005041674.tif 000008
【図７】
2005041674.tif 000009
【図８】
2005041674.tif 000010